(57)【要約】【課題】臨場感に溢れた音声出力が可能な電子機器を提供することにある。【解決手段】パーソナルコンピュータは機器本体１０を備え、この機器本体の上面には、開閉自在なディスプレイユニット１６およびキーボード１２が設けられている。キーボードの後方において、機器本体の両側面には一対のスピーカ２０がそれぞれ設けられている。【選択図】　図１
2004046829.tif 000002
【特許請求の範囲】
【請求項１】
上面および一対の側面を有した機器本体と、
上記キーボードの上面に設けられたキーボードと、
上記キーボードの後方で上記機器本体に接続され、上記キーボードを覆う閉塞位置とキーボードを開放する開放位置との間を移動可能に設けられたディスプレイユニットと、
上記キーボードの後方で上記機器本体の両側面に設けられた一対のスピーカと、を備えたことを特徴とする電子機器。
【請求項２】
上面および一対の側面を有した機器本体と、
上記キーボードの上面に設けられたキーボードと、
上記機器本体に接続され、上記キーボードを覆う閉塞位置とキーボードを開放する開放位置との間を移動可能に設けられたディスプレイユニットと、
上記機器本体の両側面に設けられているとともに、それぞれ一部が上記機器本体の上面に回り込んで設けられた一対のスピーカと、を備えたことを特徴とする電子機器。
【請求項３】
上記一対のスピーカは、上記ディスプレイユニットが閉塞位置に移動した状態において上記機器本体の両側面に露出する位置に配置されていることを特徴とする請求項１又は２に記載の電子機器。
【発明の詳細な説明】
【０００１】
【発明が属する技術分野】
この発明は、パーソナルコンピュータ等の電子機器に関する。
【０００２】
【従来の技術】
電子機器として、例えば、携帯型のパーソナルコンピュータは、偏平な矩形状の本体と、本体の上面に設けられた入力手段としてのキーボードと、本体の上面に開閉自在に設けられたディスプレイユニットと、を備えて構成されている。
【０００３】
近年、この種のパーソナルコンピュータは、入力手段として、ディスプレイユニットに表示されたカーソルを上下左右および斜め等自由な方向へ移動させることが可能なポインティングデバイスを備えたものが広く普及している。ポインティングデバイスの操作ボタンは、キーボードの中央あるいはキーボードの前方に位置したアームレスト部に設けられている。一方、メインの入力手段として用いられているキーボードは、通常、平坦に形成されている。
【０００４】
また、近年、本体の背面あるいは側面に設けられたスピーカを備え、このスピーカを通してＢＧＭ、操作ガイド等の種々の音声出力を可能としたパーソナルコンピュータが提供されている。
【０００５】
ディスプレイユニットは、本体の上面にヒンジを介して取り付けられ、キーボードを覆う閉塞位置とキーボードを開放する開放位置との間を回動自在に構成されている。そして、パーソナルコンピュータの不使用時あるいは携帯時、ディスプレイユニットは閉塞位置に回動され、ラッチ機構により閉塞位置にロックされる。
【０００６】
このラッチ機構は、一般に、ディスプレイユニットの前端部側に設けられたラッチ爪と、同じく本体の前端部側に設けられてラッチ爪と係合する係合部と、を備えて構成されている。更に、近年、本体から取り外し可能に構成されたディスプレイユニットを備えたパーソナルコンピュータも提供されている。
【０００７】
【発明が解決しようとする課題】
しかしながら、上記のように構成された従来のパーソナルコンピュータにおいて、入力手段として用いられているキーボードあるいはポインティングデバイスは機器本体に取り付けられていることから、パーソナルコンピュータを遠隔的に操作することはできず、不便な場合がある。また、従来、音声出力に用いられるスピーカは機器本体の側面あるいは背面に１つのみ設けられているため、臨場感に溢れた音声を出力することが困難であった。
【０００８】
この発明は以上の点に鑑みなされたもので、その目的は、臨場感に溢れた音声出力が可能な電子機器を提供することにある。
【０００９】
【課題を解決するための手段】
上記目的を達成するため、この発明の態様に係る電子機器は、上面および一対の側面を有した機器本体と、上記キーボードの上面に設けられたキーボードと、上記キーボードの後方で上記機器本体に接続され、上記キーボードを覆う閉塞位置とキーボードを開放する開放位置との間を移動可能に設けられたディスプレイユニットと、上記キーボードの後方で上記機器本体の両側面に設けられた一対のスピーカと、を備えたことを特徴としている。
【００１０】
また、この発明の他の態様に係る電子機器は、上面および一対の側面を有した機器本体と、上記キーボードの上面に設けられたキーボードと、上記機器本体に接続され、上記キーボードを覆う閉塞位置とキーボードを開放する開放位置との間を移動可能に設けられたディスプレイユニットと、上記機器本体の両側面に設けられているとともに、それぞれ一部が上記機器本体の上面に回り込んで設けられた一対のスピーカと、を備えたことを特徴としている。
【００１１】
上記のように構成された電子機器によれば、機器本体の両側面に一対のスピーカが設けられている。そのため、これらのスピーカを用いて音声をステレオで出力することができ、臨場感に溢れた音声出力が可能となる。
【００１２】
【発明の実施の形態】
以下図面を参照しながら、この発明を携帯型のパーソナルコンピュータに適用した実施の形態について詳細に説明する。
【００１３】
図１に示すように、携帯型のパーソナルコンピュータは、偏平な矩形箱状の機器本体１０を備え、この機器本体の上面中央部には、左右方向ほぼ全長に亘って延びる入力手段としのキーボード１２が設けられている。機器本体１０の上面においてキーボード１２の前方部分は、キーボード１２のキー入力操作を行なう際に操作者の手の平を載置可能なアームレスト部１４を形成している。また、機器本体１０の上面において、キーボード１２の後方には、ディスプレイユニット１６の連結部１８が脱着自在に取り付けられている。更に、キーボード１２の後方において、機器本体１０の両側面後部には、音声出力用のスピーカ２０がそれぞれ設けられている。各スピーカ２０は機器本体１０の側面に露出しているとともに、その一部は、機器本体１０の上面側に回り込み、この機器本体上面に露出して設けられている。
【００１４】
次に、パーソナルコンピュータの各部の構成について詳細に説明すると、図１および図２に示すように、まず、キーボード１２は平面形状が矩形状に形成されているとともに、その上面は、全体として、中央部が高く両側縁部が低くなるように円弧状に湾曲して形成されている。
【００１５】
図１（ｂ）から良く分かるように、アームレスト部１４の中央部には、機器本体１０の上面および前面に開口したほぼ矩形状の凹所からなる収納部２２が形成されている。そして、この収納部２２には、収納部とほぼ同一の形状を有する遠隔操作ユニット２４が脱着自在に装着されている。
【００１６】
遠隔操作ユニット２４内には、図示しないポインティング装置、電源、回路基板、発信回路等が組み込まれている。また、遠隔操作ユニット２４の上面には、ポインディング装置の円盤状の操作ボタン２６、操作キーとしてのテンキー２８、確定キー２９、音量調整キー３０等が設けられている。
【００１７】
遠隔操作ユニット２４の後面には、送信部として、操作ボタン２６および各種の操作キーの操作に応じた入力信号を発信する赤外線発信部３２が設けられ、収納部２２の底部には、受信部として、赤外線発信部３２からの発信信号を受光する赤外線受光部３４が設けられている。
【００１８】
そして、遠隔操作ユニット２４を機器本体１０の収納部２２に装着した状態において、操作ボタン２６および各種の操作キーはアームレスト部１４の上面に露出し、キーボード１２と共に入力手段として操作可能となっている。
【００１９】
また、遠隔操作ユニット２４を収納部２２から取り外し、機器本体１０から離れた場所で操作ボタン２６および各種の操作キーを操作した場合においても、入力操作に応じた信号が赤外線発信部３２から赤外線受光部３４へ送信され、機器本体１０へ入力される。従って、遠隔操作ユニット２４を用いて、一定の入力操作を遠隔的に行なうことができる。
【００２０】
図１ないし図３に示すように、機器本体１０に対して脱着自在なディスプレイユニット１６は、液晶表示パネル３６が組み込まれた矩形状のディスプレイ本体３８と、ヒンジ部４０を介してディスプレイ本体３８に回動自在に接続されたほぼ矩形状の連結部１８と、を備えている。そして、ディスプレイユニット１６は、連結部１８を機器本体１０に連結することによって機器本体に取り付けられ、キーボード１２および遠隔操作ユニット２４を覆う閉塞位置と、キーボード１２および遠隔操作ユニット２４を開放し液晶表示パネル３６を見ながら入力操作を可能とする開放位置と、の間を回動可能となっている。ディスプレイ本体３８の内面は、キーボード１２の湾曲に併せて僅かに湾曲して形成されている。
【００２１】
連結部１８内にはコネクタ４２が配設され、このコネクタ４２は、連結部１８とディスプレイ本体３８との間に設けられたケーブルガイド４３内を延びる図示しないケーブルを介して液晶表示パネル３６に電気的に接続されている。また、連結部１８の後面には、矩形状の係合凹所４４が形成されている。
【００２２】
一方、図２、図４および図５に示すように、キーボード１２の後方において機器本体１０の上面には接続口４５が形成されている。この接続口４５は、ディスプレイユニット１６の連結部１８の断面形状とほぼ等しい形状に形成され、連結部１８を挿入可能となっている。そして、接続口４５に連結部１８を挿入すると、連結部１８内のコネクタ４２が機器本体１０内に設けられたコネクタ４６に接続され、ディスプレイユニット１６が機器本体に機械的および電気的に接続される。
【００２３】
機器本体１０には、接続口４５を開閉するシャッタ５０が回動自在に取付けられ、ねじりばね５２により閉塞位置方向へ付勢されている。そのため、ディスプレイユニット１６が機器本体１０から取り外された状態において、つまり、ディスプレイユニットの連結部１８が接続口４５から引き抜かれた状態において、シャッタ５０はねじりばね５２により閉塞位置に保持され、接続口４５を閉塞する。また、ディスプレイユニット１６の連結部１８が接続口４５に挿入されると、シャッタ５０は連結部１８に押されて下方へ回動し接続口４５を開放する。
【００２４】
また、機器本体１０には、機器本体に接続されたディスプレイユニット１６を接続状にロックするストッパ部材５４が設けられている。このストッパ部材５４は、その先端部５４ａが接続口４５内に突出する係止位置と接続口４５から退避する解除位置との間を摺動自在に機器本体１０に取り付けられているとともに、機器本体との間に架設された引っ張りばね５６により係止位置に向かって付勢されている。
【００２５】
図５（ａ）に示すように、ディスプレイユニット１６の連結部１８が接続口４５から引き抜かれた状態において、ストッパ部材５４は、その先端部５４ａがシャッタ５０に当接することにより係止位置に保持されている。また、ディスプレイユニット１６の連結部１８を接続口４５に挿入して接続する際には、ストッパ部材５４は、操作者により引っ張りばね５６の付勢力に抗して解除位置へ移動され、連結部１８を接続口４５に挿入した後、操作者が手を離すことにより引っ張りばね５６によって係止位置へ移動される。それにより、図５（ｂ）に示すように、ストッパ部材５４の先端部５４ａは連結部１８の係合凹所４４に嵌合し、連結部１８を接続位置にロックする。
【００２６】
ディスプレイユニット１６は、ディスプレイ本体３８を閉塞位置にロックするロック機構６０を備えて構成されている。以下、図３、図６および図７を参照して、ロック機構６０およびヒンジ部４０の構成について説明する。
【００２７】
ディスプレイユニット１６は、ディスプレイ本体３８の下端中央部から突出した中空の脚部６２を有し、この脚部６２は連結部１８の上端に形成された凹部６４内に配置されている。そして、ヒンジ部４０は、連結部１８内に設けられた一対のヒンジ軸６６と、ディスプレイユニット１６の脚部６２内に設けられそれぞれヒンジ軸６６に回動自在に支持された一対の支持ブラケット６８と、を備えている。
【００２８】
ヒンジ軸６６は、連結部１８内面にねじ止めされて凹部６４の両側に位置した一対のブラケット７０に固定されている。そして、一対のヒンジ軸６６は互いに同軸的に配置されているとともに、それぞれ凹部６４を介して脚部６２内へ突出している。各ヒンジ軸６６の延出端部外周面には、係合部としての軸方向に延びる係合溝７２が形成され所定の角度位置に位置している。
【００２９】
一対の支持ブラケット６８は、脚部６２の内面に突設されたボス７４にそれぞれねじ止め固定されている。そして、一対のヒンジ軸６６を支持ブラケット６８に形成された透孔６８ａにそれぞれ挿入することにより、支持ブラケットと共に脚部６２が回動自在に支持されている。また、各支持ブラケット６８とヒンジ軸６６との間には、ヒンジ軸に巻装されたばねワッシャ７５が介在されている。そして、ばねワッシャ７５と支持ブラケット６８およびヒンジ軸６６との間の摩擦により、ディスプレイ本体３８を連結部１８に対して任意の回動位置に保持することができる。
【００３０】
一方、ロック機構６０は、ヒンジ軸６６の係合溝７２と係合可能なスライドプレート７６と、スライドプレート７６をディスプレイユニット１６の外方から操作するための操作ノブ７８とを備えて構成されている。
【００３１】
詳細には、スライドプレート７６は平行に突出した一対の突起７６ａを有する平板状に形成され、ディスプレイ本体３８の内面に突設された一対のガイドピン８０および一対のガイド突起８１によって、ディスプレイ本体の内面および脚部６２の内面上を摺動自在にガイドされている。特に、スライドプレート７６の摺動範囲は、ガイドピン８０と係合した長孔７６ｂにより、一対の突起７６ａの先端が一対のヒンジ軸６６の先端部外周面にそれぞれ当接するロック位置と、突起７６ａの先端がヒンジ軸６６の先端部外周面から離間する解除位置との間に規定されている。
【００３２】
脚部６２の外面には凹所８２が形成され、この凹所８２内に操作ノブ７８が摺動自在に配設されている。操作ノブ７８は、脚部６２の壁面を貫通して脚部内に延出した接続爪８４を有し、この接続爪はスライドプレート７６に接続されている。従って、操作ノブ７８を摺動させることにより、ディスプレイユニット１６の外側からスライドプレート７６をロック位置と解除位置との間で切換えることができる。
【００３３】
図７に示すように、各ヒンジ軸６６の先端部外周面に形成された係合溝７２は、ディスプレイ本体３８が連結部１８に対して直角となる閉塞位置に回動された際にスライドプレート７６の突起７６ａ先端と対向する角度位置に形成されている。そのため、ディスプレイ本体３８を閉塞位置に回動した後に操作ノブ７８によってスライドプレート７６を解除位置からロック位置へ摺動させることにより、スライドプレートの両突起７６ａ先端はヒンジ軸６６の係合凹所７２にそれぞれ嵌合する。従って、ヒンジ部４０の回動が規制され、つまり、ヒンジ軸６６に対する支持ブラケット６８の回動が規制され、ディスプレイ本体３８は閉塞位置にロックされる。
【００３４】
なお、一対のスピーカ２０はそれぞれ機器本体１０の側面に露出して設けられている。そして、ディスプレイ本体３８を閉塞位置に移動させた状態においても、各スピーカ２０の大部分はディスプレイ本体３８に覆われることなく機器本体外部に露出した状態に維持される。
【００３５】
以上のように構成されたパーソナルコンピュータによれば、遠隔操作ユニット２４は機器本体１０の収納部２２に脱着自在に装着されていることから、遠隔操作ユニットを収納部から取り外した状態でポインティング装置の操作ボタン２６あるいは操作キーを操作した場合、入力信号は遠隔操作ユニットの赤外線発信部３２から機器本体の赤外線受光部３４へ送信され、機器本体に入力される。そのため、遠隔操作ユニット２４を用いることにより一定の入力操作を遠隔的に行なうことが可能となり、パーソナルコンピュータの操作性を大幅に向上させることができる。
【００３６】
また、機器本体１０の両側面に一対のスピーカ２０が設けられているため、これらのスピーカから音声をステレオで出力することができ、臨場感に溢れた音声出力が可能となる。機器本体１０上面に設けられたキーボード１２は、中央部が高く両側部が低くなるように円弧状に湾曲して形成されているため、キーボードを用いてキー入力操作を行なう場合、手首を捻る必要がなく長時間の使用においても疲労度を少なくすることが可能となる。また、円弧状に湾曲している場合には、キーボード単体の撓み強度が向上することから、キーボードを支持するためのリム、ボス等の数を少なくすることができ、構成の簡略化および製造コストの低減を図ることが可能となる。
【００３７】
上記構成のパーソナルコンピュータによれば、ディスプレイユニット１６を閉塞位置に回動した状態でロック機構６０によってヒンジ部４０の回動を規制することにより、ディスプレイユニットは閉塞位置にロックされる。ロック機構６０をヒンジ部４０の近傍に設けることにより、従来のようにディスプレイユニット１６の前端部にラッチ爪、および機器本体１０の前端部に係合部をそれぞれ設ける必要がなく、構造の簡略化およびディスプレイユニットを開放した際における美観の向上を図かることができる。
【００３８】
また、上記パーソナルコンピュータによれば、ディスプレイユニット１６は機器本体１０に対して取り外し可能に構成され、ディスプレイユニットを取り外した場合には、機器本体１０の接続口４５はシャッタ５０によって閉塞される。そのため、接続口４５を介して機器本体１０内の接続コネクタや接続機構が外部に露出することがなく、美観の向上を図れるとともに機器本体内へのゴミ、埃等の侵入を防止することができる。
【００３９】
なお、この発明は上述した実施の形態に限定されることなく、この発明の範囲内で種々変形可能である。例えば、遠隔操作ユニット２４は、ポインティング装置、テンキー等を備えたものに限らず、他の入力機能を備えた操作キー、操作部材を備えた構成としてもよい。
【００４０】
また、上記実施の形態において、ヒンジ部は固定のヒンジ軸と回動自在な支持ブラケットとを組み合わせた構成としたが、固定の支持ブラケットおよび回動自在なヒンジ軸を組み合わせて構成してもよい。この場合、ロック機構は支持ブラケットに形成された係合部と係合する構成にすることができる。
【００４１】
また、本発明において、ディスプレイユニットは脱着式に限らず、固定式のものを用いてもよい。この場合、ロック機構のスライドプレートおよび操作ノブを機器本体の後端部においてヒンジ部近傍に設ける構成としてもよく、このような構成においても上述した実施の形態と同様の作用効果を得ることができる。
【００４２】
【発明の効果】
以上詳述したように、この発明によれば、臨場感に溢れた音声出力が可能な電子機器を提供することができる。
【図面の簡単な説明】
【図１】この発明の実施の形態に係る携帯型パーソナルコンピュータを示す斜視図。
【図２】ディスプレイユニットを取り外した状態における上記パーソナルコンピュータの斜視図。
【図３】上記ディスプレイユニットの斜視図。
【図４】上記パーソナルコンピュータの接続口およびシャッタを示す斜視図。
【図５】図５（ａ）はシャッタが閉じた状態を示す断面図、
図５（ｂ）はディスプレイユニットが接続されシャッタが開いた状態を示す断面図。
【図６】上記ディスプレイユニットのヒンジ部およびロック機構を示す断面図。
【図７】上記ロック機構の解除動作およびロック動作をそれぞれ示す断面図。
【符号の説明】
１０…機器本体　　　　　１２…キーボード
１４…アームレスト部
１６…ディスプレイユニット　１８…連結部
２０…スピーカ　　　　　２２…収納部
２４…遠隔操作ユニット　３８…ディスプレイ本体
４０…ヒンジ部　　　　　４５…接続口
５０…シャッタ　　　　　６０…ロック機構
６６…ヒンジ軸　　　　　６８…支持ブラケット
７２…係合凹所　　　　　７６ａ…突起
７６…スライドプレート　７８…操作ノブ
【図１】
2004046829.tif 000003
【図２】
2004046829.tif 000004
【図３】
2004046829.tif 000005
【図４】
2004046829.tif 000006
【図５】
2004046829.tif 000007
【図６】
2004046829.tif 000008
【図７】
2004046829.tif 000009